(57)【要約】      （修正有）【課題】厚みのある調理物や大きな燻製専用容器も容易に入れることができる両面焼き調理器を提供すること。【解決手段】ヒーター付き上蓋５と、ヒーター付き下容器６による両面焼き調理器において、ヒーター付き上蓋とヒーター付き下容器との間に中間重ね枠１を装着して容器内の高さをのばし、容器内空間を設けて厚物調理や高さのある燻製作りの専用容器をセットすることや、ロティかご７を装着して、回転機構を構成した。ロティかご７を回転させるには、着脱する回転ハンドル軸を外部側面から差し込みハンドル軸受けに係合させ、回転ハンドル軸を回転させる。【選択図】図２
2020062365.tif 000002
【特許請求の範囲】
【請求項１】
ヒーター付き上蓋と、ヒーター付き下容器による両面焼き調理器において、前記ヒーター付き上蓋と、ヒーター付き下容器との間に中間重ね枠を装着して容器内の高さをのばし、容器内空間を設けて前記中間重ね枠内にロティかごの可動軸棒を取り付け、前記ロティかごを設置して回転機構を構成することを特徴とした両面焼き調理器用の中間重ね枠。
【発明の詳細な説明】
【技術分野】
【０００１】  本発明は、両面焼き調理器用のヒーター付き上蓋と、ヒーター付き下容器との中間に装着して、容器内の高さを広げる開放リング状の中間重ね枠に関する。
【背景技術】
【０００２】  従来の両面焼き調理器には、ヒーター付き上蓋に、伸縮アームステーを取り付けて自在に上下動誘導してヒーター付き下容器に被せ、又は下部に設けた収納スペースに上蓋を収納するものもある。（例えば、特許文献１参照）
それに、重ね式鍋として、鍋を上方にのばすために取り外し可能な開放リングを取り付けられる重ね料理道具がある。（例えば、特許文献２参照）
また、回転しながら焼けるロティ、ロースト焼きや燻製が作れる調理器がある。
（例えば、非特許文献１参照）
【先行技術文献】
【特許文献】
【０００３】
【特許文献１】特開２０１８−７５３３８号公報
【特許文献２】特開平８−２２８９２３号公報
【非特許文献】
【０００４】
【非特許文献１】パナソニック（株）製  商品名  ロティサリーグリル＆スモーク  家電商品品番  ＮＢ−ＲＤＸ１００の取扱説明書参照
【発明の概要】
【発明が解決しようとする課題】
【０００５】  以上に述べた特許文献１に示す従来の両面焼き調理器においては、ヒーター付き上蓋と、ヒーター付き下容器との組み合う容器内の高さが限定されているため、厚みのある調理物で魚や肉などが、ヒーター付き上蓋の上ヒーターに接触して蓋が閉まらず焼けないという問題があった。
さらに、大きな高さのある燻製専用容器なども容器内の高さが低いため入れられない問題や、上記の非特許文献１で示すような回転しながら焼けるロティ、ロースト焼き等これらにおいても容器内の高さ限定によりできなかった。【０００６】  また、特許文献２で示す重ね料理道具として用いられる取り外し可能な開放リング付き重ね式鍋は、鍋の下から加熱を加える鍋式構造のため、特許文献１で示したような上下のヒーターによる両面焼き調理器とは構造上、用途の相違があるためこれらにおいても、両面焼き調理器の特性を生かすことができず、回転しながら焼けるようなロティ、ロースト焼き等ができないという問題があった。【０００７】  非特許文献１の調理器構造は、特許文献１で示すようなヒーター付き上蓋及びヒーター付き下容器との着脱組み合わせによる両面焼き構造とした特性及び機能構造が違うため、非特許文献１と特許文献１の調理器は用途、構造の相違があった。【０００８】  本発明は、このような従来の問題を解決しようとするものであり、従来のヒーター付き蓋及びヒーター付き下容器の両面焼き調理器に対して、さらに容器内の高さを加えることで厚みのある調理物や大きな燻製専用容器も容易に入れることができて、且つ回転機構を構成してロティ、ロースト焼きを可能にすることを目的としたものである。
【課題を解決するための手段】
【０００９】  本発明は上記目的を達成するためにヒーター付き上蓋と、ヒーター付き下容器との間に上下開放されたリング状の中間重ね枠を装着し、容器内の高さを上方にのばして空間を設け、厚物調理や燻製容器等が入れられるように対応することである。【００１０】  そしてロティ、ロースト焼きを可能にするため、上記中間重ね枠内の中央位置に調理物を入れるロティかごを設置するとともに、それらのロティかごの左右両端部に回転できるようにした可動軸棒を中間重ね枠内に係合させてロティかごを回転可能にすることである。【００１１】  そのようにするには、上記中間重ね枠内に設置した左右の可動軸棒の回動をよくするために、一方の可動軸棒にハンドル軸受けを取り付けて外部から着脱する回転ハンドル軸を連結させ、他一方の可動軸棒にＵ状の凹溝形状とする係合端を設けてこれらの組み合わせによって両面焼き調理器によるロティ、ロースト焼きを行えるようにする。【００１２】  中間重ね枠の左側面側には、上記回転ハンドル軸を外部から挿入できるように内外貫通している挿入口孔を設け、右側面側に上記可動軸棒の係合端を支持するための回転軸受け部を設けてロティかごを装着し回転を可能にしている。【００１３】  尚、上記で示す回転ハンドル軸は、手動或いはゼンマイ式で操作する方法のものであり、このほかに電気モーターを介入して自動回転操作も可能にすることは言うまででもない。
【発明の効果】
【００１４】  上述したように、ヒーター付き上蓋と、ヒーター付き下容器によって構成された両面焼き調理器において、本発明の中間重ね枠を用いて、更に容器内の高さをのばすことで容器の内部の空間ができてより一層の厚物の調理と、高さのある専用の燻製容器を入れることが可能になる。さらに、ロティかごを装着して回転しながら両面焼き調理器によるロティ、ロースト焼きができるようになる。
【図面の簡単な説明】
【００１５】
【図１】  本発明の中間重ね枠とロースト焼き部材の斜視図
【図２】  図１による中間重ね枠と部材を両面焼き調理器に装着した斜視図
【図３】  図１のＡ−Ａ線による断面図
【発明を実施するための形態】
【００１６】  以下、本発明の実施形態を図１〜図３に基づいて説明する。
【００１７】  図においては、本発明の中間重ね枠１の高さ２を上方にのばして上下開放リング状に形成し、中間重ね枠１の下端縁３と上端縁４は、両面焼き調理器のヒーター付き上蓋５とヒーター付き下容器６の縁同士がかみ合うように形成されてそれらの間に装着されている。
ヒーター付き上蓋５は、伸縮アームステー１８に誘導されて中間重ね枠１に被せるか又は収納スペース１７に収納される。
【００１８】  ロティ、ロースト焼きを行う場合、調理物を入れるロティかご７は、四角状に網かごで組み立てて左右に可動軸棒８を取り付け、一方側に円筒状のハンドル軸受け９を取り付けて更にもう一方側にＵ状凹溝の係合端１０を形成する。
【００１９】  中間重ね枠１の右外部側面及び内部側に、可動軸棒８の係合端１０を挿入させるための空洞化した回転軸受け部１１を設け、更に左外部側面及び内部側に内外貫通した挿入口孔１２を設けてハンドル軸受け９の挿入口とする。
ロティかご７を装着するには、最初に可動軸棒８の係合端１０の部分を空洞化したスペースのある回転軸受け部１１に奥深く挿入して、ハンドル軸受け９の部分を挿入口孔１２に誘導して戻し嵌め込み装着する。
ロティかご７を回転させるには、着脱する回転ハンドル軸１３を外部側面から差し込みハンドル軸受け９に係合させて回転ハンドル軸１３を回転させる。
【００２０】  ハンドル軸受け９と、回転ハンドル軸１３との係合方法について、ハンドル軸受け９の外形を円筒状にし、その内部は四角又は六角形状孔に空洞化されている。回転ハンドル軸１３の先端形状も四角又は六角棒状に形成して雄雌挿入可能に係合できるようにする。ナットやボルトを回転させるソケットレンチの応用である。
【００２１】  そのようにすることで、四角状のロティかご７の回転向きが上下のヒーターに対してどのような向き面か知ることができるとともに、窓１６から見ながら回転向きと焼き具合の調整が容易にできる。
それに、回転ハンドル軸１３の先端差し込み付近に、十字ストッパー１４を取り付けて挿入相手口孔にもそれらを受けるための固定した十字受け孔１５を設け、抜き差し調整によって、十字ストッパー１４と、固定された十字受け孔１５とが着脱してロティかご７の回転と回転阻止することができる。
【００２２】  ロティかご７を回転させるためには、十字受け孔１５から十字ストッパー１４の部分を若干外側に引き抜き十字受け孔１５から離間させて、ハンドル軸受け９の内部孔から回転ハンドル軸１３の先端が外れない程度に引き抜き係合させながら回転させる。
【００２３】  上記ロティ、ロースト焼き以外は、上記のロティかご７及び回転ハンドル軸１３は、不要で、そのまま中間重ね枠１のみを装着して挿入口孔１２にキャップをし、厚物調理や専用の燻製容器を入れて用いれば対応が可能となり用を成すものである。
【符号の説明】
【００２４】        １    中間重ね枠
２    高さ
５    ヒーター付き上蓋
６    ヒーター付き下容器
７    ロティかご
８    可動軸棒
９    ハンドル軸受け
１０  係合端
１１  回転軸受け部
１２  挿入口孔
１３  回転ハンドル軸
１４  十字ストッパー
１５  十字受け孔
【図１】
2020062365.tif 000003
【図２】
2020062365.tif 000004
【図３】
2020062365.tif 000005